(57)【要約】【課題】扉体を閉める際、ガイド部材の誤調節操作あっても、そのことをオペレーターに確実に認識させて、扉体を適正な閉止位置に保持させることにより、直積み収納された収納商品の積崩れを確実に防止する。【解決手段】商品収納部Ａに、収納商品１の端面に摺接又は近接する商品ガイド部２０Ａを備えた扉体２０と、扉体２０を商品投入口１７に位置する第１閉止位置とそれよりも内側に突出する第２閉止位置に規制保持可能な位置保持手段Ｂが設けられ、第１閉止位置にある扉体２０の商品ガイド部２０Ａと収納商品１の端面との間に設定ガイド距離よりも大きな空隙があることを検出する検出手段Ｃと、この検出手段Ｃの空隙検出に基づいて、位置保持手段Ｂによる第１閉止位置での扉体２０の規制保持を不能にする牽制手段Ｄが設けられている。【選択図】        図４
2004265213.tif 000002
【特許請求の範囲】
【請求項１】
商品収納庫内に、商品を横向き姿勢で上下方向に沿って直積み収納する商品収納通路と、それに対して奥行方向から商品を補給可能な上下方向に沿う商品投入口を備えた商品収納部が配設され、この商品収納部の商品投入口側には、直積み収納された収納商品の端面に摺接又は近接して該収納商品を積崩れのない状態で下方に移動案内するための商品ガイド部を備えた扉体が、上下軸芯周りで揺動開閉自在に枢着され、扉体を商品投入口に位置する第１閉止位置と商品投入口よりも商品収納通路側に突出する第２閉止位置に規制保持可能な位置保持手段が設けられている自動販売機の商品収納構造であって、
第１閉止位置にある扉体の商品ガイド部と収納商品の端面との間に設定ガイド距離よりも大きな空隙があることを検出する検出手段と、この検出手段の空隙検出に基づいて、位置保持手段による第１閉止位置での扉体の規制保持を不能にする牽制手段が設けられている自動販売機の商品収納構造。
【請求項２】
前記位置保持手段が、商品収納部に対して上下動自在に構成された扉体の各閉止位置での落とし込み操作により、各閉止位置での上下軸芯周りでの揺動を当接規制するように構成されているとともに、前記検知手段が、収納商品と非接触となる空隙検出状態では扉体から商品収納通路側に突出位置し、収納商品との接触に連れて商品投入口側に揺動する商品検出レバーから構成され、更に、前記牽制手段が、商品検出レバーと一体的に揺動して、商品検出レバーが空隙検出状態にあるとき、商品投入口の下側縁となる商品収納部の下側枠部との当接によって第１閉止位置にある扉体の落とし込み操作を阻止する牽制体から構成されている請求項１記載の自動販売機の商品収納構造。
【請求項３】
前記位置保持手段が、商品収納部に対して上下動自在に構成された扉体の各閉止位置での落とし込み操作により、扉体の上下両側において、各閉止位置での扉体の内外両方向への揺動を当接規制するように構成されている請求項１又は２記載の自動販売機の商品収納構造。
【請求項４】
前記商品収納部の下側枠部には、扉体を第１閉止位置から開き位置に揺動するとき、扉体を規制解除位置に持ち上げた状態で摺動案内する摺動ガイド部が形成されている請求項２又は３記載の自動販売機の商品収納構造。
【請求項５】
前記位置保持手段を構成するに、扉体の上部に係止体を形成し、商品収納部の上側枠部には、扉体が第１閉止位置及び第２閉止位置にあるとき、落とし込み操作される扉体の係止体が上方から係合する係止孔を形成するとともに、扉体の下部には、扉体が第１閉止位置にあるとき、商品投入口の下側縁となる商品収納部の下側枠部に対して上方から嵌合状態で係合し、かつ、扉体が第２閉止位置にあるとき、商品収納部の下側枠部の内側面に一方が当接する一対の係止片を形成してある請求項２〜４のいずれか１項に記載の自動販売機の商品収納構造。
【発明の詳細な説明】
【０００１】
【発明の属する技術分野】
本発明は、商品収納庫内に配設された商品収納部の商品収納通路内に商品を横向き姿勢で上下方向に沿って直積み収納してある自動販売機の商品収納構造に関する。
【０００２】
【従来の技術】
従来の自動販売機の商品収納構造では、図９〜図１１に示すように、商品収納庫内に、商品１を横向き姿勢で上下方向に沿って直積み収納する商品収納通路６と、それに対して奥行方向から商品１を補給可能な上下方向に沿う商品投入口１７を備えた商品収納部の一例である商品収納ラックＡが配設され、この商品収納ラックＡ内の奥側には、収納商品１の長さに応じて商品収納通路６の奥行有効寸法を調節するガイド部材１８が設けられている（例えば、特許文献２参照。）。
【０００３】
更に、前記商品収納ラックＡの商品投入口１７側には、直積み収納された収納商品１の端面に摺接又は近接して該収納商品１を積崩れのない状態で下方に移動案内するための商品ガイド部２０Ａを備えた扉体２０が、上下軸芯Ｘ周りで揺動開閉自在に枢着されているとともに、扉体２０を商品投入口１７に位置する第１閉止位置と商品投入口１７よりも商品収納通路６側に突出する第２閉止位置に規制保持可能な位置保持手段Ｂが設けられている（例えば、特許文献１参照。）。
【０００４】
前記扉体２０の上下両側部の各々には、上下軸芯Ｘに沿う枢支軸５０を備えたブラケット５１が取付けられているとともに、商品投入口１７の上側縁及び下側縁となる商品収納ラックＡの上側枠部５２及び下側枠部５３には、扉体２０の両枢支軸５０が相対回転ならびに軸芯方向に相対摺動自在に挿入される軸受孔５４が形成されていて、商品収納ラックＡに対して扉体２０が上下軸芯Ｘ周りで揺動開閉ならびに上下動自在に構成されている。
【０００５】
また、前記位置保持手段Ｂを構成するに、扉体２０の遊端側上部に、下向きの係止部５５ａを備えた横断面略逆向きしの字状の係止部材５５を、商品収納ラックＡの上側枠部５２よりも上方に突出する係止作用位置と上側枠部５２よりも下方に位置する格納位置とに付け替え自在に取付け、商品収納ラックＡの上側枠部５２には、開き姿勢にある扉体２０の第１閉止位置への揺動時に係止部材５５が入り込む切込み溝５６と、第１係止位置にある扉体２０の落とし込み操作によって係止部材５５の係止部５５ａが係合する係止孔５７が形成されているとともに、扉体２０の下部には、扉体２０が第１閉止位置にあるとき、商品収納ラックＡの下側枠部５３に対して上方から嵌合状態で係合する一対の係止片５８を形成していた。
【０００６】
そして、扉体２０が第２閉止位置にあるときには、係止部材５５が格納位置に付け替えられているため、商品収納ラックＡの下側枠部５３の内側面と商品収納通路６に収納された商品１の端面との間に、扉体２０の両下部係止片５８を落とし込み操作することにより、扉体２０の表側への揺動は、外側に位置する下部係止片５８と商品収納ラックＡの下側枠部５３の内側面との当接により規制し、扉体２０の奥側への揺動は、内側に位置する下部係止片５８と収納商品１の端面との当接により規制するように構成していた。
【０００７】
【特許文献１】
実用新案登録第２５７８３４８号公報（第２頁、図９〜図１７）
【特許文献２】
実用新案登録第２５４６１６１号公報（第１〜３頁、図１〜図４、図１０〜図１２）
【０００８】
【発明が解決しようとする課題】
この種の自動販売機の商品収納構造では、商品収納ラックＡ内の奥側に設けたガイド部材１８により、商品収納通路６の奥行有効寸法を収納商品１の長さに応じた寸法に調節するように構成されているが、その調節操作を誤ることがときにある。調整された商品収納通路６の奥行有効寸法が商品より短い場合には、商品収納ラックＡの商品収納口６からの商品補給が不能になるので、調整操作の誤りに気付くものの、調整された商品収納通路６の奥行有効寸法が商品よりも少し長い場合には、それに気付かずに商品を補給し続けることになる。
【０００９】
この場合でも、商品補給後において、扉体２０を閉める際に、扉体２０を商品投入口１７よりも商品収納通路６側に突出する第２閉止位置に保持することにより、扉体２０の商品ガイド部２０Ａが直積み収納された収納商品１の端面に摺接又は近接して、収納商品１を積崩れのない状態で下方に確実、スムースに移動案内することができる。
【００１０】
また、商品収納ラックＡ内の奥側にガイド部材１８が設けられていない自動販売機においても、商品収納通路６に補給される商品１が設定商品長さよりも短い場合、商品投入口１７の下側縁となる商品収納ラックＡの下側枠部５３の内側面と直積み収納された収納商品１の端面との間の間隙が、設定ガイド距離よりも大きくなるが、このとき、商品補給後において扉体２０を閉める際、前述と同様に、扉体２０を商品投入口１７よりも商品収納通路６側に突出する第２閉止位置に保持することにより、扉体２０の商品ガイド部２０Ａが直積み収納された収納商品１の端面に摺接又は近接して、収納商品１を積崩れのない状態で下方に確実、スムースに移動案内することができる。
【００１１】
しかしながら、商品投入口１７の下側縁となる商品収納ラックＡの下側枠部５３の内側面と直積み収納された収納商品１の端面との間の間隙が、収納商品１の端面を扉体２０の商品ガイド部２０Ａで確実に案内することの可能な設定ガイド距離内の間隙なのか、或いは、収納商品１の転倒や落下等の積崩れを招来する可能性のある間隙なのかの判別がつき難く、それに気付かずに扉体２０を通常の第１閉止位置で係止保持することがあった。
【００１２】
また、扉体２０が第２閉止位置に保持されているときには、扉体２０の下端部のみが位置規制されているだけであり、しかも、扉体２０の奥側への揺動は収納商品１の端面との当接によって規制するため、扉体２０のガタッキが大きくなるとともに撓み変形もし易くなり、直積み収納された収納商品１群の保持機能が低下していた。
【００１３】
本発明は、上述の実状に鑑みて為されたものであって、その主たる課題は、扉体を閉める際、扉体の商品ガイド部と直積み収納された収納商品の端面との間に積崩れを招来する可能性のある大きな間隙が発生していることをオペレーターに確実に認識させて、扉体を適正な閉止位置に保持させることにより、直積み収納された収納商品の積崩れを確実に防止することのできる自動販売機の商品収納構造を提供する点にある。
【００１４】
【課題を解決するための手段】
本発明の請求項１による特徴構成は、商品収納庫内に、商品を横向き姿勢で上下方向に沿って直積み収納する商品収納通路と、それに対して奥行方向から商品を補給可能な上下方向に沿う商品投入口を備えた商品収納部が配設され、この商品収納部の商品投入口側には、直積み収納された収納商品の端面に摺接又は近接して該収納商品を積崩れのない状態で下方に移動案内するための商品ガイド部を備えた扉体が、上下軸芯周りで揺動開閉自在に枢着され、扉体を商品投入口に位置する第１閉止位置と商品投入口よりも商品収納通路側に突出する第２閉止位置に規制保持可能な位置保持手段が設けられている自動販売機の商品収納構造であって、
第１閉止位置にある扉体の商品ガイド部と収納商品の端面との間に設定ガイド距離よりも大きな空隙があることを検出する検出手段と、この検出手段の空隙検出に基づいて、位置保持手段による第１閉止位置での扉体の規制保持を不能にする牽制手段が設けられている点にある。
【００１５】
上記特徴構成によれば、例えば、商品収納部内の奥側に設けたガイド部材により、商品収納通路の奥行有効寸法を収納商品の長さに応じた寸法に調節する際、誤操作によって調整された商品収納通路の奥行有効寸法が商品よりも少し長くなり、それに気付かずに商品を補給したのち、扉体を商品投入口に位置する通常の第１閉止位置に操作しても、或いは、ガイド部材が設けられていない商品収納部内に設定商品長さよりも短い商品を補給したのち、扉体を商品投入口に位置する通常の第１閉止位置に操作しても、第１閉止位置にある扉体の商品ガイド部と収納商品との間に設定ガイド距離よりも大きな空隙があることを検出手段にて検出すると同時に、この検出手段の空隙検出に基づいて牽制状態となる牽制手段により、位置保持手段による第１閉止位置での扉体の規制保持を不能にすることができるから、扉体の商品ガイド部と直積み収納された収納商品の端面との間に積崩れを招来する可能性のある大きな間隙が発生していることをオペレーターに確実に気付かせることができる。
【００１６】
そして、第１閉止位置にある扉体を第２閉止位置に揺動操作すると、検出手段は非検出状態となり、牽制手段が牽制解除されるため、位置保持手段によって扉体が第２閉止位置に保持される。
【００１７】
従って、扉体を閉める際、扉体の商品ガイド部と直積み収納された収納商品の端面との間に積崩れを招来する可能性のある大きな間隙が発生していることをオペレーターに確実に認識させて、扉体を適正な第２閉止位置に保持させることができるから、この第２閉止位置にある扉体の商品ガイド部により、商品収納通路内に直積み収納された収納商品を積崩れのない状態で確実、スムースに移動案内することができる。
【００１８】
本発明の請求項２による自動販売機の商品収納構造の特徴構成は、前記位置保持手段が、商品収納部に対して上下動自在に構成された扉体の各閉止位置での落とし込み操作により、各閉止位置での上下軸芯周りでの揺動を当接規制するように構成されているとともに、前記検知手段が、収納商品と非接触となる空隙検出状態では扉体から商品収納通路側に突出位置し、収納商品との接触に連れて商品投入口側に揺動する商品検出レバーから構成され、更に、前記牽制手段が、商品検出レバーと一体的に揺動して、商品検出レバーが空隙検出状態にあるとき、商品投入口の下側縁となる商品収納部の下側枠部との当接によって第１閉止位置にある扉体の落とし込み操作を阻止する牽制体から構成されている点にある。
【００１９】
上記特徴構成によれば、例えば、商品収納部内の奥側に設けたガイド部材により、商品収納通路の奥行有効寸法を収納商品の長さに応じた寸法に調節する際、誤操作によって調整された商品収納通路の奥行有効寸法が商品よりも少し長くなり、それに気付かずに商品を補給したのち、扉体を商品投入口に位置する通常の第１閉止位置において落とし込み操作しても、或いは、ガイド部材が設けられていない商品収納部内に設定商品長さよりも短い商品を補給したのち、扉体を商品投入口に位置する通常の第１閉止位置において落とし込み操作しても、収納商品と非接触となる空隙検出状態では、扉体に設けた商品検出レバーが商品収納通路側に突出位置し、それと一体揺動する牽制体が商品収納部の下側枠部と当接して、第１閉止位置にある扉体の落とし込み操作を阻止することができるから、扉体の商品ガイド部と直積み収納された収納商品の端面との間に積崩れを招来する可能性のある大きな間隙が発生していることをオペレーターに確実に気付かせることができる。
【００２０】
そして、第１閉止位置にある扉体を第２閉止位置に揺動操作して落とし込み操作すると、商品検出レバーは収納商品との接触に連れて商品投入口側に揺動し、それと一体揺動する牽制体が牽制位置から牽制解除位置に移動し、位置保持手段によって扉体が第２閉止位置に保持される。
【００２１】
従って、扉体を閉める際、扉体を常に適正な閉止位置に保持させて、直積み収納された収納商品の積崩れを確実に防止することができるものでありながら、そのための構成としても、商品検出レバーとそれに一体揺動する牽制体とを付加するだけで済むから、商品収納構造の簡素化及び製造コストの低廉化を図ることができる。
【００２２】
本発明の請求項３による自動販売機の商品収納構造の特徴構成は、前記位置保持手段が、商品収納部に対して上下動自在に構成された扉体の各閉止位置での落とし込み操作により、扉体の上下両側において、各閉止位置での扉体の内外両方向への揺動を当接規制するように構成されている点にある。
【００２３】
上記特徴構成によれば、扉体が第１閉止位置又は第２閉止位置の何れにある場合でも、扉体の上下両側において、各閉止位置での扉体の内外両方向への揺動を当接規制することができるから、特に、第２閉止位置で保持された扉体のガタツキや撓み変形を抑制することができ、直積み収納された収納商品群の保持機能を高めることができる。
【００２４】
本発明の請求項４による自動販売機の商品収納構造の特徴構成は、前記商品収納部の下側枠部に、扉体を第１閉止位置から開き位置に揺動するとき、扉体を規制解除位置に持ち上げた状態で摺動案内する摺動ガイド部が形成されている点にある。
【００２５】
上記特徴構成によれば、開き位置にある扉体に閉じ方向の外力が作用したとき、扉体は摺動ガイド部によって規制解除位置に持ち上げた状態にあるため、扉体は第１閉止位置にまでスムースに摺動したのち自重で落ち込み作動し、扉体が位置保持手段によって第１閉止位置に保持される。
【００２６】
従って、開き位置にある扉体の閉じ操作をスムースに行うことができる。特に、商品収納庫に対して商品収納部が外部に引き出し自在に構成されている場合において、扉体を開き位置に操作したままで商品収納部を庫内側に押し込み操作しても、扉体が他物との当接に連れて第１閉止位置に自動的に閉動させることができるから、扉体等の破損を抑制することができる。
【００２７】
本発明の請求項５による自動販売機の商品収納構造の特徴構成は、前記係止手段を構成するに、扉体の上部に係止体を形成し、商品収納部の上側枠部には、扉体が第１閉止位置及び第２閉止位置にあるとき、落とし込み操作される扉体の係止体が上方から係合する係止孔を形成するとともに、扉体の下部には、扉体が第１閉止位置にあるとき、商品投入口の下側縁となる商品収納部の下側枠部に対して上方から嵌合状態で係合し、かつ、扉体が第２閉止位置にあるとき、商品収納部の下側枠部の内側面に一方が当接する一対の係止片を形成した点にある。
【００２８】
上記特徴構成によれば、扉体が第１閉止位置又は第２閉止位置の何れにある場合でも、扉体の上下両側において、各閉止位置での扉体の内外両方向への揺動を当接規制することができるから、特に、第２閉止位置で保持された扉体のガタツキや撓み変形を抑制することができ、直積み収納された収納商品群の保持機能を高めることができ、しかも、そのための構成としても、第２閉止位置にある扉体の係止体が係合する係止孔を追加するだけで済み、商品収納構造の簡素化及び製造コストの低廉化を図ることができる。
【００２９】
【発明の実施の形態】
〔第１実施形態〕
図１は、缶入り飲料や壜入り飲料等の商品１を販売する自動販売機を示し、前方に開口する断熱構造の商品収納庫２を備えたキャビネット３には、商品収納庫２の前面開口部に対して揺動開閉自在な断熱構造の内扉（図示せず）と、キャビネット３の前面開口部に対して揺動開閉自在で、かつ、払い出されてきた商品１を外部に取り出すための商品取出口４を備えた外扉５が取付けられている。
【００３０】
前記キャビネット３の商品収納庫２内には、図１〜図４に示すように、左右方向に所定間隔で配設される複数個の商品収納部の一例である商品収納ラックＡが、天井壁部に設けられた前後方姿勢の吊下げレール（図示せず）に沿って庫外側に引き出し操作自在に組付けられているとともに、各商品収納ラックＡには、多数の商品１を横向き姿勢で上下方向に沿って直積み収納するための商品収納通路６が前後方向で複数列形成され、各商品収納通路６の下部には、最下端に位置する商品１を受け止め支持する下部ストッパー９Ａと、最下端から二番目に位置する商品１を受け止め支持する上部ストッパー９Ｂを備え、かつ、商品払出指令信号（販売指令信号）に基づいて最下端から二番目に位置する商品１を受け止めながら最下端に位置する商品１を一つずつ払い出すように構成された商品払出装置９が設けられている。
【００３１】
前記商品収納ラックＡは、図２〜図４に示すように、商品収納通路６の並列数に相当する前後長さを有する背板１１と、二つの商品収納通路６を一組としてそれらの隣接間中央位置に配置される第１側板１２と、これに商品収納通路６を挟んで対向配置される第２側板１３と、吊下げレール８に載架される摺動レール１４を備えた上側枠体１５と、各側板１２，１３の下端前部に亘って横架される下側枠体１６とを組付けてなり、それの正面側に、各商品収納通路６に対して奥行方向から商品１を補給可能な上下方向に沿う商品投入口１７が開口形成されている。
【００３２】
前記各商品収納通路６内には、収納商品１の長さに応じて商品収納通路６の奥行有効寸法を調節する第１ガイド部材１８と、収納商品１の最大直径又は最大横幅に応じて商品収納通路６の横幅有効寸法を調節する第２ガイド部材１９が設けられているとともに、各商品投入口１７の上側縁となる上側枠体１５の上側枠部１５ａと各商品投入口１７の下側縁となる下側枠体１６の下側枠部１６ａとに亘って、直積み収納された収納商品１の端面に摺接又は近接して該収納商品１を積崩れのない状態で下方に移動案内するための商品ガイド部２０Ａを備えた扉体２０が、上下軸芯Ｘ周りで揺動開閉自在に枢着されている。
【００３３】
更に、前記扉体２０を商品投入口１７に位置する第１閉止位置と商品投入口１７よりも商品収納通路６側に突出する第２閉止位置とに規制保持可能な位置保持手段Ｂが設けられているとともに、扉体２０に、第１閉止位置にある扉体２０の商品ガイド部２０Ａと収納商品１の端面との間に設定ガイド距離よりも大きな積崩れを招来する可能性のある空隙Ｓが存在することを検出する検出手段Ｃと、この検出手段Ｃの空隙検出に基づいて、位置保持手段Ｂによる第１閉止位置での扉体２０の規制保持を不能にする牽制手段Ｄが設けられている。
【００３４】
前記第１ガイド部材１８には、商品収納通路６の臨む第１側板１２の奥側で、かつ、商品収納通路６の奥行方向に間隔を置いて形成された係止孔１２ａに対して選択的に係合可能な係止片１８ａが形成されていて、長さが異なる複数種類の収納商品１に応じて、第１側板１２の係止孔１２ａに対する第１ガイド部材１８の係止片１８ａの係合位置を変更する。
【００３５】
前記第２ガイド部材１９は、第２側板１３にリンク機構２１を介して取付けられていて、商品収納通路６の横幅方向に鉛直姿勢を維持したまま平行移動自在に構成されているとともに、最大直径又は最大横幅が異なる複数種類の収納商品１に応じて商品収納通路６の横幅方向の複数位置で選択的に固定可能に構成されている。
【００３６】
前記扉体２０は、図３〜図５に示すように、外面側の一部に細幅の操作用開口２２を形成する状態で略矩形の角筒状に折り曲げ形成されていて、第１閉止位置にあるときには、図５に示すように、直積み収納された収納商品１の端面に摺接又は近接する内側板部２０ａをもって商品ガイド部２０Ａが構成され、第２閉止位置にあるときには、図７に示すように、直積み収納された収納商品１の端面に摺接又は近接する遊端内側角部２０ｂをもって商品ガイド部２０Ａが構成されている。
【００３７】
前記扉体２０の上下両端部には、図４に示すように、上下軸芯Ｘに沿う枢支軸２３を備えたブラケット２４が取付けられているとともに、商品投入口１７の上側縁及び下側縁となる上側枠体１５の上側枠部１５ａ及び下側枠体１６の下側枠部１６ａには、扉体２０の両枢支軸２３が上下軸芯Ｘ周りで相対回転ならびに上下軸芯Ｘ方向に沿って相対摺動自在に挿入される軸受孔２５が形成されていて、商品収納ラックＡに対して扉体２０が上下軸芯Ｘ周りで揺動開閉ならびに上下動自在に構成されている。
【００３８】
前記位置保持手段Ｂは、商品収納ラックＡに対して上下動自在に構成された扉体２０の各閉止位置での落とし込み操作により、扉体２０の上下両側において、各閉止位置での扉体２０の上下軸芯Ｘ周りでの内外両方向への揺動を当接規制するように構成されていて、その具体的構成は次の通りである。
【００３９】
すなわち、図４〜図８に示すように、扉体２０の基端側板部２０ｃには、下向き姿勢の係止体２６を備えたブラケット２７が取付けられ、商品収納ラックＡの上側枠部１５ａには、上下軸芯Ｘ周りで揺動する扉体２０のブラケット２７が第２閉止位置にまで入り込み自在な弧状の切込み溝２８と、扉体２０が第１閉止位置及び第２閉止位置にあるとき、落とし込み操作される扉体２０の係止体２６が上方から係合する係止孔２９ａ，２９ｂが形成されているとともに、扉体２０の内側板部２０ａ及び外側板部２０ｄの下部には、扉体２０が第１閉止位置にあるとき、商品投入口１７の下側縁となる商品収納ラックＡの下側枠部１６ａに対して上方から嵌合状態で係合し、かつ、扉体２０が第２閉止位置にあるとき、商品収納ラックＡの下側枠部１６ａの内側面に一方が当接する一対の係止片３０ａ，３０ｂが一体形成されている。
【００４０】
また、前記扉体２０の内方側の係止片３０ａには、図５、図６に示すように、下側枠部１６ａの内側面に点接触又は線接触若しくはそれに近い状態で局部的に接触する曲面状の突起部３１が打ち出し形成されている。
【００４１】
そのため、扉体２０が第１閉止位置にある状態では、扉体２０の内方側係止片３０ａに形成された突起部３１が下側枠部１６ａの内側面に接触しているから、扉体２０を商品投入口１７に沿った設定閉止姿勢に維持しながらも、扉体２０の落とし込み操作及び持ち上げ操作を円滑に行うことができる。
【００４２】
前記検知手段Ｃは、扉体２０の下端部に枢支された支軸３２に、扉体２０の内側板部２０ａの下端側に切り欠き形成された開口部２０ｅを通して商品収納通路６側に突出可能な検知部３３ａと、支軸３２の軸芯でもある横軸芯Ｙ周りで回動自在に外装支持される筒状部３３ｂと、扉体２０の外側板部２０ｄの内面との当接によって検知部３３ａを突出方向に付勢する当り部３３ｃとを板バネ材の折曲げ加工により一体形成してある商品検出レバー３３を装着して構成されている。
【００４３】
そして、収納商品１と非接触となる空隙検出状態（非商品検出状態）では、商品検出レバー３３の当り部３３ｃの弾性復元力により、商品検出レバー３３の検知部３３ａが扉体２０の開口部２０ｅを通して商品収納通路６側に突出位置し、収納商品１と接触する非空隙検出状態（商品検出状態）では、弾性復元力に抗して扉体２０内の商品投入口１７側に向かって揺動するように構成されている。
【００４４】
前記牽制手段Ｄは、商品検出レバー３３の遊端部を下方に折り曲げ形成された牽制体３４から構成されていて、商品検出レバー３３と一体的に揺動することにより、商品検出レバー３３が空隙検出状態（非商品検出状態）にあるときには、図８（イ）に示すように、商品投入口１７の下側縁となる商品収納ラックＡの下側枠部１６ａに対して牽制体３４が上方から当接して、第１閉止位置で持ち上げ操作されている扉体２０の落とし込み操作を阻止し、更に、商品検出レバー３３が収納商品１と接触する非空隙検出状態（商品検出状態）にあるときには、図６（イ）に示すように、商品収納ラックＡの下側枠部１６ａに対して牽制体３４が外れた位置にあって、該牽制体３４による牽制作用が解除されているため、第１閉止位置で持ち上げ操作されている扉体２０を自由に落とし込み操作することができる。
【００４５】
そのため、商品収納ラックＡの奥側に設けた第１ガイド部材１８により、商品収納通路６の奥行有効寸法を収納商品１の長さに応じた寸法に調節する際、誤操作によって調整された商品収納通路６の奥行有効寸法が商品１よりも少し長くなり、それに気付かずに商品１を補給したのち、扉体２０を商品投入口１７に位置する通常の第１閉止位置において落とし込み操作しても、図８（イ）に示すように、扉体２０に設けた商品検出レバー３３が商品収納通路６側に突出位置し、それと一体揺動する牽制体３４が商品収納ラックＡの下側枠部１６ａと当接して、第１閉止位置にある扉体２０の落とし込み操作を阻止することができるから、オペレーターに誤調節があったことを確実に気付かせることができる。
【００４６】
そして、図８（ロ）に示すように、第１閉止位置にある扉体２０を第２閉止位置に揺動操作して落とし込み操作すると、その操作途中で商品検出レバー３３は収納商品１との接触に連れて商品投入口１７側に揺動し、それと一体揺動する牽制体３４が牽制位置から牽制解除位置に移動し、位置保持手段Ｂによって扉体２０が第２閉止位置に保持される。
【００４７】
それ故に、扉体２０を閉める際、扉体２０を常に適正な閉止位置に保持させて、直積み収納された収納商品１の積崩れを確実に防止することができるものでありながら、そのための構成としても、商品検出レバー３３とそれに一体揺動する牽制体３４とを付加するだけで済むから、商品収納構造の簡素化及び製造コストの低廉化を図ることができる。
【００４８】
前記商品収納ラックＡの下側枠部１６ａには、図４、図６、図８に示すように、扉体２０を第１閉止位置から開き位置に揺動するとき、扉体２０を規制解除位置に持ち上げた状態で摺動案内する摺動ガイド部３５が形成されている。
【００４９】
そして、開き位置にある扉体２０に閉じ方向の外力が作用したとき、扉体２０は摺動ガイド部３５によって規制解除位置に持ち上げられた状態にあるため、扉体２０は第１閉止位置にまでスムースに摺動したのち自重で落ち込み作動し、扉体２０が位置保持手段Ｂによって第１閉止位置に保持される。
【００５０】
それ故に、開き位置にある扉体２０の閉じ操作をスムースに行うことができ、特に、商品収納庫２に対して庫外側に引き出し操作されている商品収納ラックＡを、扉体２０を開き位置に操作したままで庫内側に押し込み操作しても、扉体２０が他の隣接する商品収納ラックＡ等との当接に連れて第１閉止位置に自動的に閉動させることができるから、扉体２０等の破損を抑制することができる。
【００５１】
〔その他の実施形態〕
（１）上述の第１実施形態では、記牽制手段Ｄを、商品検出レバー３３の遊端部を下方に折り曲げ形成された牽制体３４から構成したが、商品検出レバー３３と牽制体３４とを各別に形成して、これら両者３３，３４をリンク等の機械式連係手段で連動させるように構成してもよい。
【００５２】
（２）上述の第１実施形態では、扉体に、第１閉止位置にある扉体２０の商品ガイド部２０Ａと収納商品１の端面との間に設定ガイド距離よりも大きな積崩れを招来する可能性のある空隙Ｓが存在することを検出する検出手段Ｃと、この検出手段Ｃの空隙検出に基づいて、位置保持手段Ｂによる第１閉止位置での扉体２０の規制保持を不能にする牽制手段Ｄを設けたが、検出手段Ｃ又は牽制手段Ｄ若しくは両者Ｃ，Ｄを商品収納ラックＡ側に設けて実施してもよい。
【００５３】
（３）前記検出手段Ｃとしては、第１実施形態で説明した商品検出レバー３３等の機械式センサーに限定されるものではなく、第１閉止位置にある扉体２０の商品ガイド部２０Ａと収納商品１の端面との間に設定ガイド距離よりも大きな積崩れを招来する可能性のある空隙Ｓが存在することを検出することのできるものであればよく、光センサーや磁気センサー等を用いて実施してもよい。
【００５４】
（４）前記牽制手段Ｄとしては、検出手段Ｃの空隙検出に基づいて、位置保持手段Ｂによる第１閉止位置での扉体２０の規制保持を不能にすることのできるものであれば、如何なる構造のものを用いて実施してもよい。
【図面の簡単な説明】
【図１】本発明の第１実施形態を示す自動販売機の全体斜視図
【図２】商品収納ラックの全体正面図
【図３】商品収納ラックの要部の拡大断面平面図
【図４】扉体の取付け構造を示す斜視図
【図５】第１閉止位置にある扉体と位置保持手段との関係を示す要部の拡大断面平面図
【図６】（イ）は開き位置にある扉体を第１閉止位置に揺動操作したときの要部の拡大断面正面図
（ロ）は扉体を第１閉止位置で落とし込み操作したときの要部の拡大断面正面図
【図７】第２閉止位置にある扉体と位置保持手段との関係を示す要部の拡大断面平面図
【図８】（イ）は開き位置にある扉体を第１閉止位置に揺動操作したときの要部の拡大断面正面図
（ロ）は扉体を第２閉止位置で落とし込み操作したときの要部の拡大断面正面図
【図９】従来の扉体の取付け構造を示す斜視図
【図１０】従来の商品収納ラックの概略断面平面図
【図１１】従来の商品収納ラックの概略断面側面図
【符号の説明】
Ａ      商品収納部（商品収納ラック）
Ｂ      位置保持手段
Ｃ      検出手段
Ｄ      牽制手段
Ｓ      空隙
Ｘ      上下軸芯
１      商品
２      商品収納庫
６      氏用品収納通路
１５    上側枠体
１５ａ  上側枠部
１６    下側枠体
１６ａ  下側枠部
１７    商品投入口
１８    ガイド部材（第１ガイド部材）
２０    扉体
２０Ａ  商品ガイド部
２６    係止体
２７    ブラケット
２９ａ  係止孔
２９ｂ  係止孔
３０ａ  係止片
３０ｂ  係止片
３１    突起部
３３    商品検出レバー
３４    牽制体
３５    摺動ガイド部
【図１】
2004265213.tif 000003
【図２】
2004265213.tif 000004
【図３】
2004265213.tif 000005
【図４】
2004265213.tif 000006
【図５】
2004265213.tif 000007
【図６】
2004265213.tif 000008
【図７】
2004265213.tif 000009
【図８】
2004265213.tif 000010
【図９】
2004265213.tif 000011
【図１０】
2004265213.tif 000012
【図１１】
2004265213.tif 000013